(57)【要約】      （修正有） 【課題】バランス良く調整出来た食事が可能となる、必須の栄養素や食物繊維をバランス良く摂取出来るトレイを提供する。【解決手段】一枚のプレート状形成物上に仕切りで、摂取目的のタンパク質、糖質、食物繊維の凹形状の３エリア１、２、３を有し、各エリアには該当食材量を把握・調整するための彩色、イラスト、スケールライン、収納ポケット、スペース、数値欄、補助エリア、補助線が施された。【選択図】図１
0003218256.tif 000002
【実用新案登録請求の範囲】
【請求項１】
糖質、タンパク質、食物繊維の三つに区切られたエリアがあるひとつのプレート状形成物で、それぞれに施された彩色、イラスト、スケールライン、スペース、収納ポケット等に従って、食する者自らが家庭の日常的食材から直に各エリアの該当位置に置くもしくは満たすことで、必須栄養素や食物繊維の目標摂取量を把握出来、バランス良く調整した食事が可能となる必須栄養素や食物繊維をバランスよく摂取出来るトレイ。
【考案の詳細な説明】
【技術分野】
【０００１】
本考案は日常的な家庭食材（加工したもの及び調理済を含む。以下説明省略）からの選択で、必須栄養素や食物繊維の目標摂取量を容易に把握し、バランス良く調整出来た食事が可能となる、必須の栄養素や食物繊維をバランスよく摂取出来るトレイに関するものである。
【背景技術】
【０００２】
健康な身体づくりには栄養や食物繊維などのバランス良い食事が欠かせないが、食材選びから組み合わせや計量・計算など事前準備や調理する者への負担が大きいことなどから続かない。また健康目的をうたっているトレイ、プレートや皿などの多くは、単に食餌容量の減量、低カロリー食材に代替を促すダイエット対策装置であり、栄養や食物繊維などのバランス良い摂取などには配慮されていない。
特許文献１に示す先行研究の簡単にバランスの良い食餌をとることが出来る皿は、トレイや皿を食事管理や調整の装置として使用するものである。
【先行技術文献】
【特許文献】
【０００３】
【特許文献１】実用新案登録３００５９０８
【考案の概要】
【考案が解決しようとする課題】
【０００４】
健康的な食事を目的とする既存トレイ、プレート及び皿の多くは、ダイエット対策に重きをおく食餌の減量、低カロリー食材への代替を促す装置であり、栄養や食物繊維のバランス良い食事への配慮が足りないという問題がある。またその使用に際し、調理前の食材選択、組み合わせ及び計量・計算や専用ガイドブックの併用、また調理する者への負担などの手間や煩わしさという問題もある。
【課題を解決するための手段】
【０００５】
計量、計算やガイドブック使用など準備の手間を省き、食する者自らが選択した日常的な家庭食材をトレイ上のスケールラインなどに従って、満たすもしくは置くという容易な操作で必須栄養素や食物繊維を把握し、バランス良く調整された食事が可能となる。
【考案の効果】
【０００６】
〔作用〕
栄養や食物繊維などのバランス良い食事を欠さず継続することが、健康的な身体づくりに必要であることは周知の事実である。ところがこのバランス良い食事だけでも実行することが難しいうえ、継続することはより一層難しい。本来バランス良い食事のためには、調理以前の食材選択、組み合わせ、計量・計算など様々な準備やそれを配慮して調理することも必要であり調理者に負担もかかる。つまり多くの手間や負担がバランス良い食事の継続を困難なものとしており、このことがともすれば必須栄養素や食物繊維などのバランスを欠く食事の原因ともなっている。そこでこの根本原因である煩わしい手間や負担を極力軽減しつつ、必須栄養素や食物繊維の推奨目標量は最低限バランス良く摂取出来る食事を、食する者自ら操作し実現することに注力したのが本考案トレイである。本来の手順を逆に各栄養素や食物繊維の目標摂取量に合わせ、摂取・調整した食材の総量を食する者自らが食材を計器の計量・計算やガイドブックなどを使用せずに、各エリアの所定位置に置く等することで栄養素や食物繊維のバランス良い食事を可能にした。また食する者自らが家庭での日常的食材から極力簡単な操作によってバランス良い食事が可能となることで、これを継続することにも寄与する。糖質エリアでは大別食材のパン類、麺類、飯類の種類毎のスペース容量を満たすことで厚生労働省「日本人の食事摂取基準（２０１５年版）」の糖質目標摂取量（以下目標摂取量と記す）が摂取出来る仕組みとした。そこでこのことをスペース条件を満たすと便宜上呼ぶこととし、以下スペース条件を満たすと記す。このスペース条件を満たす仕組みが糖質エリアでは各スペースとなる。タンパク質エリアでも同栄養素の目標摂取量を満たすための操作されるエリアであることに違いはない。しかしながらタンパク質食材は、大別した三群（豆類、魚類、肉類）の食材間でもタンパク質含有量のばらつきは大きいうえ、その同一食材類内でもばらつきがある。このために各群におけるタンパク質摂取量を満たす一食当たりの容量を食材類間ごとにもとめ、各群内の中央値（但し食物繊維の際は、平均値）の容量を基準単位（以下基準１単位と記す）とする。こうすることで基準１単位の容量を目標摂取量に変換するときの目安となり操作が容易となる。つまり基準１単位外の食材は数値欄に表示することでその調整の有無を容易に判断出来る。各スケールラインや収納ポケットの容量は各々相違するが、同エリアにおける操作手順の仕組みは統一且つ簡略化出来る。実際の操作としては、食材の容量を把握する食材の種類別高さライン、スケールラインや収納スポットからの容量が、基準１単位となり、数値欄に記載がない食材の場合は、その容量で可とするということである。一方数値欄に指示される食材は、１/２及び１/３補助線などの活用で指示される値に調整しスペース条件を満たす必用がある。尚同エリアにおける該当スケールライン及び収納スポットは、糖質エリア選択食材に対応する補助エリアラインを縦に見て、三段に並ぶタンパク質の選択食材との交差した位置である。必須栄養素の脂質のエリアを設けていない理由は、糖質やタンパク質両エリアの選択で既に脂質目標摂取量の多くを摂取している場合が散見されるからであ���、むしろその量の多少の有無による対応の方が効率的だからである。尚この脂質の多少の有無はタンパク質エリアの数値欄に印で表示し、目標摂取量より過小な場合は○で脂質の別途補充、過多の場合は◎で食物繊維エリアでの食材摂取量で対応する。また食物繊維エリアの大別食材である野菜類、キノコ類、海藻類のスペースは各々独立しており（但し野菜エリアはＡ群、Ｂ群、Ｃ群の各群内スペース）それぞれのスペース条件を満たすことで食物繊維の目標摂取が可能となる。また他の食物繊維の食材類間での組み合わせの際も同様で、各々食材の按分割合の合計が全体で１００％となるよう調整することでスペース条件を満たすことになる。また組み合わせ摂取の際に活用する１/２補助線、１/３補助線はスペース内側に表示されるのは、他エリアと同様である。このように食物繊維エリアでは同目標摂取の仕組みは各スペースとなる。以上が各エリアの栄養素や食物繊維の目標摂取の仕組みである。これにより本来バランス良い食事の煩雑な準備を大幅に軽減出来る。
つまり本考案トレイは、本来必要な食材の選択、組み合わせ、計量、計算などの多くの煩雑な準備の手間や調理する者への負担を省き、食する者自らが家庭における日常的食材を所定の位置に配置するなどで栄養や食物繊維をバランス良く摂取出来る食事が可能となるのである。
従って本考案トレイを使用することで、必須栄養素や食物繊維のバランスの良い食事の摂取が容易となり、これにより食する者自らの一層の意識喚起からバランスの良い食事の継続にも寄与する。
【０００７】
〔効果〕
本考案の必須栄養素や食物繊維をバランスよく摂取出来るトレイ及びその使用方法によれば、食する者自らが調理前からの様々な準備などの大幅な手間の削減をしつつ、日常的な食材から必須栄養素と食物繊維の目標摂取量の把握・調整が容易となることでバランス良い食事そのものへの意識喚起からその習慣づけも可能となる。
【実施例】
【０００８】
以下に示すように、図１、図２、図３、図４、図５、図６、図７および、図８〜図13の表１、表２、表３、表４、表5、表６、に従い実施例を説明する。
【０００９】
本考案の実施の形態を以下説明する。本考案は仕切られた三つのエリアで構成される１枚のプレート状のトレイからなり、糖質、タンパク質、食物繊維のエリアには見やすく施された彩色、イラストに加え、スケールライン、収納ポケット、数値欄などに従い食材を合わせ置くなどで必須栄養素や食物繊維の摂取量を把握し、バランス良く調整が出来る装置である。
糖質エリアには糖質の大別食材であるパン類、麺類、飯類から同栄養素の目標摂取量を把握・調整する各スペース、高さライン、数値欄などを備える。次にタンパク質エリアには、操作の際に見やすく施された彩色やイラストに加え、補助エリアライン、スケールライン、収納スポット、高さライン、数値欄などを操作することで同栄養素の目標摂取量を把握・調整する。この際のスケールライン、収納ポケットは前述の通り各９箇所（但しこれは説明の都合上であり、食材の形状によってスケールラインと収納ポケットの使い分けをするに過ぎないことから、実質該当の位置は９箇所である）のうち該当箇所は、選択した該当糖質補助エリアラインを縦に、三段構成の大別タンパク質食材で選択した食材を横に見た時に交差する位置である。またその該当食材が調整の必要な場合に活用する各スペース、各収納ポケット内側には１/２補助線、１/３補助線が記されている。食物繊維エリアでは、大別食材である野菜類、海藻類、キノコ類の各スペースが独立して設けられ、群ごとのスペース条件を満たす（但し含有量に応じＡ群、Ｂ群、Ｃ群に分別した野菜スペースでは、それぞれ群内におけるスペース条件を満たす）ことで食物繊維の目標摂取が出来る。数値欄にはＡ群、Ｂ群、Ｃ群に分別した野菜類一覧、キノコ類一覧、海藻類一覧とその食物繊維量の値が記されている。また組み合わせ摂取の際活用するスペース内は１/２補助線、１/３補助線を記している。以上が本稿トレイにおける該当栄養食材の目標摂取量の把握・調整する仕組みのあらましである。
但し本考案トレイは１枚のプレートからなるものに限定されず、糖質エリア、タンパク質エリア、食物繊維エリアは個別の皿状形成物の構成でも可能であり、１枚のプレート状にした場合の便利性の有無によっては、これに限定されるものではない。また各エリアの食材を把握・調整するための収納ポケット、スケールライン、スペースなど各々複数個設けたが、同一食材群内で共有するなどの工夫で数を減らすことも可能であり、便利性の有無によっては、これらに限定するものでもない。加え、エリア、収納ポケット、スペースなどの形状も便利性の有無によっては、これに限定されるものではない。さらにここに記した数値は、厚生労働省「日本人の食事摂取基準（2015年版）」を基にしているため、この改訂や変更等で可変的であり、また本考案で想定した「男性６０歳」モデルも性別や年齢などの要素如何によっても可変的であることから、これらも限定されるものではない。
【００１０】
〈数１〉
摂取量(g)×N÷摂取エネルギー(kcal)  (１)   
(但しNは糖質では４、脂質では９。またエネルギー量は糖質５０~６５％、脂質２０~３０％）
三大栄養素のタンパク質、脂質、糖質の目標摂取量は、厚生労働省「日本人の食事摂取基準（2015年版）」及び上記％エネルギー量式(１)からの値であり、一日三食（朝、昼、夕）とした一食当りの平均値は、タンパク質は２０ｇ、糖質１２６ｇ、脂質１６ｇ及び食物繊維６.３ｇである。       
【００１１】
図１に本装置の概観図を示す。考案は３つに仕切られた各エリアに直接食材を置く及び満たす、皿のように使用するトレイである。図２は本装置トレイを真上から見た図で、３つに仕切られた糖質エリア１、タンパク質エリア２、食物繊維エリア３の配置を示す。エリアには操作しやすいように彩色、イラストなどが施され、また食材の容量を把握・調整する際に使用する仕組みである収納ポケット、スペース、スケールラインなどがある。糖質エリアにパン類スペース６、麺類スペース７、飯類スペース８、数値欄２３が、タンパク質エリアにはパン類補助エリア１４、麺類補助エリア１５、飯類補助エリア１６、スケールライン４、収納ポケット５、数値欄２３また食物繊維エリア３には野菜類スペース１１、海藻類スペース１０、キノコ類スペース９、数値欄２３などが図示の通りに配置されている。図３はタンパク質エリア２の拡大図で、各補助エリアライン、各スケールライン、各収納ポケット、数値欄２３の配置を示している。また数値欄２３に基準値外として記された食材の場合、調整に適宜活用する１/２補助ライン１２、１/３補助ライン１３はスケールライン４、収納ポケット５内側に図示の通りに記されている。図４は糖質エリア１の拡大図で、大別食材パン類、麺類、飯類に応じ各スペース、調整要な該当食材の容量の値などを記した数値欄２３がある。尚同エリアにおける麺類スペース７及び飯類スペースは該当食材の形状から、凹形状とした（形状詳細は図６）。図５は食物繊維エリア３の拡大図で、食物繊維の目標摂取量を把握・調整する野菜類スペース１１、海藻類スペース１０、キノコ類スペース９からスペース面積と各高さライン(野菜高さライン２０、キノコ高さライン２１、海藻高さライン２２)で容積から質量概数を、また調整際の数値や特記を記した数値欄２３の配置は図示の通りである。但し野菜スペース１１においては、食物繊維含有量のばらつきが大きいことから三群(Ａ群、Ｂ群、Ｃ群)にグループ分けや、海藻類一覧、キノコ類一覧も数値欄２３に記した。尚この群のみでスペース条件を満たしているが、他群との組み合わせで摂取の際に活用する１/２補助線１２、１/３補助線１３も図示の通りである。図６は図２に示すA-Bで切断した断面図である。タンパク質エリア２のトレイ端の内側側面には、肉高さライン１７、魚高さライン１８、豆高さライン１９がある。また食物繊維エリア３のトレイ端の内側側面には、容量を把握・調整する際の目安に使用する野菜高さライン２０、キノコ高さライン２１、海藻高さライン２２が記されている。尚この図のように収納ポケットの凹形状は、一段目が基準値１単位の容量で、二段目をすべて満たせば二倍の容量となる形状に設定した。図７は図３タンパク質エリアの食材中段位置の魚類の部分をさらに拡大した図で、スケールライン４、収納スポット５内の１/２補助線１２、１/３補助線１３を図示している。       
〔使用方法〕
【００１２】
糖質エリアで該当食材の食材のスペースを選択し、糖質の目標摂取量になるように数値欄などの指示通りスペースを満たす。例えば、ごはんを選択したのであれば、スペース条件を満たす容量のごはんを飯類スペースで満たす。次にタンパク質エリアで糖質エリアの選択食材の補助エリアを縦にみて、豆類、魚類、肉類の三段に記されたタンパク質大別食材との交わる箇所のスケールライン及び収納ポケットを使用する。この際、数値欄に記載がある食材は調整や指示に従う。先の具体例でタンパク質食材をハンバーグと選択した場合は、飯類補助エリアを縦に見て、タンパク質食材の肉類の段を横にみて交差するスケールライン及び収納ポケットで容量を把握・調整する。例示ハンバーグの場合は数値欄の数値指定はないので、スケールライン及び収納ポケットの摂取量は基準１単位量を摂取し、脂質は無印であり調整の必要はない。次に食物繊維エリアの大別食材から選択し、その該当スペースより摂取容量を把握・調整する。その際、他の群間の食材との組み合わせ摂取も可能である。組み合わせの際は１/２補助ライン、１/３補助ラインを活用する。食物繊維該当食材の多くは質量当たりの食物繊維含有量は極めて少なく、野菜類群内及び海藻類、キノコ類との組み合わせで効率的な摂取も可能である。他食材の組み合わせで按分摂取の例として、野菜類Ａ群のキャベツ５０ｇ、トマト４０ｇ、サラダ菜３０ｇ（Ａ群計１２０ｇ）とＢ群グリンピース１０ｇ（Ｂ群１０ｇ）、Ｃ群カボチャ３０ｇ（Ｃ群３０ｇ）、キノコ類シイタケ１０ｇ（キノコ１０ｇ）、海藻わかめ５ｇ、ひじき５ｇ（海藻計１０ｇ）の組み合わせで按分摂取した場合は、Ａ群25％、Ｂ群4％、Ｃ群33％キノコ22％、海藻16％となり、スペース条件を満たしており（計100％）、実際に摂取食物繊維量を計算すると６.７ｇで目標摂取量６.３ｇも満たしている。尚本考案トレイの使用において各エリアは、このよう密に関連性があることから上記の操作手順が望ましい。また本考案トレイは各エリア共一食当たり目標摂取量前提にしているため、そのつどこの値を満たすのが望ましいが、一日の合計でそれを満たす等の別途方策があれば、この限りではない。
【００１３】
〔各スペース及び収納ポケットの容量および脂質の調整について〕
糖質、タンパク質、脂質及び食物繊維の目標摂取量については、前述の通りであるが、本考案トレイでは、家庭での日常的食事を前提にしていることから、次の点を配慮して調整した。特に糖質は一日の摂取の中で二割占めると言われる間食やデザートなど無視できない補食、喫茶など食習慣などを勘案し、一食当たり糖質エリアの各スペース５の容量は、パン類１２０ｇ、麺類２１０ｇ、飯類２００ｇを基準１単位とした。またタンパク質エリアにおける豆類、魚類、肉類における各収納ポケット及びスケールラインの基準１単位容量は、該当食材の一食当りタンパク質含有量が目標摂取量を満たす食材の総量を大別食材毎の全食材群で求めた中央値を基準１単位とする。これを表（図８（表１）、図９（表2）、図１０（表3））から説明すれば、食材毎にタンパク質摂取目標量を記号欄Bで除した値がD(G，J)となり、この値と食材の容量の積がE(H、K)である。この際、糖質エリアの選択食材に含有されるタンパク質量との重複ないように留意し算出した。次にこれら数値の中央値を求め、食材容量毎に中央値で除した数値を求める。この値が各メニューにおけるタンパク質の目標摂取量の基準１単位に対する倍数となり、表ではF(I、L)で、スケールライン、収納ポケットの基準１単位容量となる。タンパク質エリアの大別食材三種と糖質エリアの大別食材三種の組み合わせで構成されているため、９つの収納ポケット及びスケールラインが各々出来ることになる。麺類補助エリアの肉類スケールライン及び収納スポットは６０ｇ、パン類補助エリアの肉類スケールライン及び収納スポット４０ｇ、ごはん類補助エリアの肉類スケールライン及び収納ポケットは３８ｇ、麺類補助エリアの豆類スケールライン及び収納ポケットは１５５ｇ、パン類補助エリアの豆類スケールライン及び収納ポケットは１０３ｇ、ごはん類補助エリアの豆類スケールライン及び収納ポケットは９２ｇ、麺類補助エリアの魚類スケールライン及び収納ポケットは６９ｇ、パン類類補助エリアの魚類スケールライン及び収納ポケットは４６ｇ、ごはん類類補助エリアの魚類スケールライン及び収納ポケットは４１ｇである。また脂質は多少の有無に応じて調整することで対応するが、以下表（図８（表１）、図９（表2）、図１０（表3））に従い説明する。各食材一食当たりの含有脂質であるAにD(H、J)を乗した容量が脂質の目標摂取量より大きい値の場合が◎、少ないものが○であり、基準値範囲内の食材は数値欄には表記しない。表（図８（表１）、図９（表2）、図１０（表3））でも◎、○のみ表示した。これをタンパク質エリアの数値欄２３に記載し、◎の際は、食物繊維エリアにおける各種食物繊維食材の摂取量で調整し、未満○の際は別途手段による脂質の補充で対応する。具体的には数値欄の表示は、倍数表示で１.４以上◎、０.６以下○と記載とする。尚脂質も糖質エリアの該当食材との重複がないように留意した。最後に食物繊維エリアの各スペース(野菜類スペース４、海藻類スペース５、キノコ類スペース６)を以下の通り説明する。食物繊維が比較的多く含まれる海藻類、キノコ類と野菜類の組み合わせにより全体の摂取容量を減らすことが出来、且つ現実的である。エリア内には野菜類、海藻類、キノコ類の三つの独立したスペースである���また野菜類は種類により食物繊維含有量にバラつきが大きく、その割合によりＡ群(０.０２３ｇ以下)Ｂ群(０.０１６〜０.０２８ｇ)、Ｃ群(０.０５ｇ以上)に分別して、これを数値欄２３に表示。その郡ごとで該当スペースを満たすことでスペース条件を満たしているが、各スペース内に表示される１/２、１/３の補助線を活用するなどしてスペース条件を満たすことで他の食物繊維食材の海藻類、キノコ類との組み合わせも可能である。
【００１４】
〔食物繊維エリアの各スペースの容量及び高さラインの位置について〕  
食物繊維食材の野菜類は特に食物繊維含有量が種類によりバラツキが大きいことからＡ群、Ｂ群、Ｃ群の三群に分別したことは前述した通りである。本考案トレイで想定した家庭で日常的に食される野菜類食材は、図１１（表4）の通り。この表中で各食材毎のグラム当たりの食物繊維量がａである。そこで上述のごとく一食当たりの目標摂取量を満たす摂取総量を算出したのが図１１（表4）のｂである。またこの値の平均値ｃ、中央値ｄとなる。ここでは摂取する総量の近似値の必要から平均値を摂取容量とした。そこで野菜類スペース、Ａ群４８４ｇ、Ｂ群２３９ｇ、Ｃ群１０３ｇとして、この値が各郡の基準１単位容量であり、一食分の目標摂取量はスペース条件を満たすことで、また野菜スペースの１/２補助線、１/３補助線などの活用で群間内での組み合わせによる場合もスペース条件を満たすことでの摂取が可能である。
次にキノコ類スペース、海藻類スペースも同様に図１２（表5）、図１３（表6）のごとくに算出し、キノコ１２８ｇ、海藻１８ｇが各類の基準１単位容量であり、ここでもスペース条件を満たすことで、１/２補助線、１/３補助線を適宜活用し、組み合わせ摂取が可能である。
野菜やキノコなどはかさばりを考慮する必要があり、加熱調理などでも容積が変化することから、高さラインを備えた。加熱調理などでの収縮率はおおよそ野菜７０％、キノコは８０％であることから、トレイ底面部分から約１.４倍、キノコは１.３倍の位置に、また海藻類は概ね過熱による容量変化は微量であることから、トレイ面の高さをラインの高さと設定した。
【００１５】
〔タンパク質エリアの収納ポケット及びスケールライン、高さライン、糖質エリアのスペースとそれら容積と質量について〕
タンパク質エリアには選択食材の容量を把握、調整する収納ポケット、スケールラインがあり、その容量は前述した通りである。該当食材の大きさや形状によっては、収納ポケットでは使い勝手の良くないものもあり、その際に使用するのがスケールラインで、トレイ面上に直接描かれたもので、そのライン範疇に納まる面積と高さから容積として容量を把握する楕円形形状に描かれた線である。尚糖質及びタンパク質の質量を容積と同値とした根拠は、多少条件や部位による相違があるとはいえ糖質食材及びタンパク質食材共々に概ね比重１（０.７３〜１.１）であるという前提を根拠としといる。
【００１６】
〔数値欄の表記について〕
本考案トレイのエリア毎に備えられた数値欄は、各エリアの面積制約から限定的な内容の記載のみとし、省略出来るものは極力省いた。例えばタンパク質エリアのスケールライン及び収納ポケットの基準１単位の容量の範疇は倍数０.７〜１.３も１単位容量と読み替え、記載はそれ以外の食材のみとし、また脂質摂取の多少の有無記載も倍数の０.６以下○と１.４以上◎のみとした。         
【図面の簡単な説明】
【００１７】
【図１】装置全体図(右斜めから見た図)
【図２】装置を真上から見た図
【図３】タンパク質エリア拡大図
【図４】糖質エリア拡大図
【図５】食物繊維エリア拡大図
【図６】図２中のA-B断面図
【図７】図３のタンパク質エリア中央部分のみの拡大図
【図８】〔表１〕加工・調理品々一覧(肉類)と各収納ポケット、スケールライン容量
【図９】〔表２〕加工・調理品々一覧(豆類)と各収納ポケット、スケールライン容量
【図１０】〔表３〕加工・調理品々一覧(魚類)と各収納ポケット、スケールライン容量
【図１１】〔表４〕野菜類スペースＡ群Ｂ群Ｃ群食材一覧及び各容量
【図１２】〔表5〕キノコ類スペース食材一覧及び各容量
【図１３】〔表６〕海藻類スペース食材一覧及び各容量
【符号の説明】
【００１８】
1-糖質エリア
2-タンパク質エリア
3-食物繊維エリア
4-スケールライン
5-収納ポケット
6-パン類スペース
7-麺類スペース
8-飯類スペース
9-キノコ類スペース
10-海藻類スペース
11-野菜類スペース
12-１/２補助線
13-１/３補助線
14-パン類補助エリア
15-麺類補助エリア
16-飯類補助エリア
17-肉高さライン
18-魚高さライン
19-豆高さライン
20-野菜高さライン
21-キノコ高さライン
22-海藻高さライン
23-数値欄
【図１】
0003218256.tif 000003
【図２】
0003218256.tif 000004
【図３】
0003218256.tif 000005
【図４】
0003218256.tif 000006
【図５】
0003218256.tif 000007
【図６】
0003218256.tif 000008
【図７】
0003218256.tif 000009
【図８】
0003218256.tif 000010
【図９】
0003218256.tif 000011
【図１０】
0003218256.tif 000012
【図１１】
0003218256.tif 000013
【図１２】
0003218256.tif 000014
【図１３】
0003218256.tif 000015
【手続補正書】
【提出日】平成30年8月6日(2018.8.6)
【手続補正１】
【補正対象書類名】実用新案登録請求の範囲
【補正対象項目名】全文
【補正方法】変更
【補正の内容】
【実用新案登録請求の範囲】
【請求項１】
一枚のプレート状形成物上に仕切りで、摂取目的のタンパク質、糖質、食物繊維の凹形状の３エリアを有し、各エリアには該当食材量を把握・調整する彩色、イラスト、スケールライン、収納ポケット、スペース、数値欄、補助エリア、補助線が施された皿のように使用する必須栄養素や食物繊維をバランス良く摂取出来るトレイ。